(57)【要約】【課題】容易な構成で表示部の電子機器に対する角度を任意に調整し、データ入力の操作性を向上することが可能な支持部材および電子機器を提供することを目的とする。【解決手段】表示部３は、表示パネル４を本体２の後方に向けた開位置状態から、回動軸Ｘに沿って任意の角度回動させた状態である。この状態で支持部材１０を表示部３のラッチ６と本体２の係合孔７に両端を係合させることで表示部３の本体に対する角度を維持する。次に支持部材について詳述する。【選択図】  図７
2004264930.tif 000002
【特許請求の範囲】
【請求項１】
電子機器の本体に任意の角度で表示装置を支持する支持部材であって、
上記表示装置に係合する一端を有する第１の基台と、
上記第１の基台に滑動可能に設けられ、上記本体に係合する一端を有する第２の基台と、
上記第１の基台と、上記第１の基台に対して任意の位置に滑動された上記第２の基台との滑動を規制する規制手段と、
を具備することを特徴とする支持部材。
【請求項２】
上記第１の基台は、上記一端とは反対側に位置する他端に係合部を有し、上記第２の基台は、上記係合部が係合される複数の係合孔を有し、上記係合部は上記複数の係合孔の任意の係合孔に係合されることで上記第１の基台に対する上記第２の基台の突出量を調整することを特徴とする請求項１記載の支持部材。
【請求項３】
上記第１および第２の基台はそれぞれ平板状に形成され、上記第２の基台の一端とは反対側に位置する他端には上記第１の基台を支持する支持部を有し、この支持部は上記第１の基台を滑動可能に挿通する開口部が形成されていることを特徴とする請求項２記載の支持部材。
【請求項４】
上記規制部材は、上記第１の基台および第２の基台を囲むように上記第２の基台上に滑動可能に設けられるとともに、上記係合部と上記複数の係合孔のうちの係合孔との係合を保持する保持部材であることを特徴とする請求項１記載の支持部材。
【請求項５】
上記第２の基台には、長手方向に伸びるスリットが設けられ、上記規制手段は、上記第１の基台の一端とは反対側に位置する他端に設けられ、上記スリットに挿通されることで上記第２の基台の滑動をガイドするピンと、このピンに締め付けられるとともに、上記第１の基台の他端と上記第２の基台とを圧着させることで上記第２の基台の上記第１の基台に対する滑動を規制する固定部材とを具備することを特徴とする請求項１記載の支持部材。
【請求項６】
上記第２の基台は上記第２の基台の一端とは反対側に位置する他端を有し、上記第１の基台は上記第１の基台の一端とは反対側に位置する他端と、この第１の基台の他端には上記第２の基台の他端が滑動可能に挿入される収容部を有し、上記規制手段は、上記第２の基台の他端が上記収容部内において任意の位置に滑動された後、上記第１の他端と上記第２の基台とを圧着させることで上記第２の基台の滑動を規制することを特徴とする請求項１記載の支持部材。
【請求項７】
上記電子機器の表示部は上記本体に対して閉位置と開位置との間で回動可能であるとともに、上記本体は係合部を有し、上記表示部は上記閉位置にあるとき上記本体の係合部に係合されるラッチを有し、
上記第１の基台の一端は上記表示部のラッチに係合され、上記第２の基台の一端は上記本体の係合部に係合されることを特徴とする請求項１記載の支持部材。
【請求項８】
本体と、
上記本体に対して回動可能に接続される表示部と、
上記表示部を上記本体に対して任意の角度に支持する支持部とを具備し、
上記支持部材は、
上記表示装置に係合する一端を有する第１の基台と、
上記第１の基台に滑動可能に設けられ、上記本体に係合する一端を有する第２の基台と、
上記第１の基台と、上記第１の基台に対して任意の位置に滑動された上記第２の基台との滑動を規制することで上記表示部の上記本体に対する角度を任意の位置に設定する規制部材と、
を具備することを特徴とする電子機器。
【請求項９】
上記表示部または上記本体は上記支持部材を収容可能な収容部を有することを特徴とする請求項１記載の電子機器。
【請求項１０】
上記第１の基台は、上記一端とは反対側に位置する他端に係合部を有し、上記第２の基台は、上記係合部が係合される複数の係合孔を有し、上記係合部は上記複数の係合孔の任意の係合孔に係合されることで上記第１の基台に対する上記第２の基台の突出量を調整することを特徴とする請求項８記載の電子機器。
【請求項１１】
上記第１および第２の基台はそれぞれ平板状に形成され、上記第２の基台の一端とは反対側に位置する他端には上記第１の基台を支持する支持部を有し、この支持部は上記第１の基台を滑動可能に挿通する開口部が形成されていることを特徴とする請求項１０記載の電子機器。
【請求項１２】
上記規制部材は、上記第１の基台および第２の基台を囲むように上記第２の基台上に滑動可能に設けられるとともに、上記係合部と上記複数の係合孔のうちの係合孔との係合を保持する保持部材であることを特徴とする請求項８記載の電子機器。
【請求項１３】
上記第２の基台には、長手方向に伸びるスリットが設けられ、上記規制手段は、上記第１の基台の一端とは反対側に位置する他端に設けられ、上記スリットに挿通されることで上記第２の基台の滑動をガイドするピンと、このピンに締め付けられるとともに、上記第１の基台の他端と上記第２の基台とを圧着させることで上記第２の基台の上記第１の基台に対する滑動を規制する固定部材とを具備することを特徴とする請求項８記載の電子機器。
【請求項１４】
上記第２の基台は上記第２の基台の一端とは反対側に位置する他端を有し、上記第１の基台は上記第１の基台の一端とは反対側に位置する他端と、この第１の基台の他端には上記第２の基台の他端が滑動可能に挿入される収容部を有し、上記規制手段は、上記第２の基台の他端が上記収容部内において任意の位置に滑動された後、上記第１の他端と上記第２の基台とを圧着させることで上記第２の基台の滑動を規制することを特徴とする請求項８記載の電子機器。
【請求項１５】
上記電子機器の表示部は上記本体に対して閉位置と開位置との間で回動可能であるとともに、上記本体は係合部を有し、上記表示部は上記閉位置にあるとき上記本体の係合部に係合されるラッチを有し、
上記第１の基台の一端は上記表示部のラッチに係合され、上記第２の基台の一端は上記本体の係合部に係合されることを特徴とする請求項８記載の電子機器。
【発明の詳細な説明】
【０００１】
【発明の属する技術分野】
本発明は、電子機器の表示装置を所定の角度で支持する支持構造に関する。
【０００２】
【従来の技術】
近年、タブレットＰＣというカテゴリのノート型パソコンが登場している。タブレットＰＣとは表示部に表示パネルとペン入力用のタブレットとが内蔵されており、データ表示およびペン入力が可能となっている。さらに本体に対して表示部が閉位置、開位置に回動可能であり、更に表示部が開位置において左右何れかに旋回可能である。中には表示部を開位置において１８０度旋回させた（表示面を本体後方向に向かせた状態）状態で本体に重ねあわされる閉位置に折り畳めるものも登場している。ユーザーとしては通常はこの折り畳んだ状態（表示面を露出した状態に閉位置に折り畳んだ状態）でペン入力を行うことになる。
【０００３】
しかしながら、上記表示部が上記状態で机上に置いて操作する場合、表示面からの蛍光灯や太陽光の反射焼、影の移りこみ等ユーザー、にとって見辛くなるケースも多々ある。このような課題を解決する方法として、表示部に支柱やスタンドを設け、表示部を支持されている（特許文献１参照）
【０００４】
【特許文献１】
特開２０００−３２２１５３号公報（コラム２，３、図１−３）
【０００５】
【発明が解決しようとする課題】
特許文献１における支柱は表示部を通常の閉位置から開位置に回動した状態で支柱を机に伸ばし表示部を支持するタイプであるため、表示部へのペン入力時キーボード等の本体がユーザーにとって邪魔な存在となってしまい、ペン有力の操作性を妨げるという問題がある。
【０００６】
また特許文献２におけるスタンドは、ペン入力タイプの電子機器の背面にスタンドを設けている。つまり電子機器全体のスタンドとなっており、重い電池パックや、ハードディスクドライブや、光ディスクドライブ、さらにはメイン基板等を支持する必要があり、かなりスタンドの強度およびスタンドのヒンジ部を強固にする必要があり、コスト的に好ましくない。
【０００７】
本発明は上記課題に鑑みてなされたもので、容易な構成で表示部の電子機器に対する角度を任意に調整し、データ入力の操作性を向上することが可能な支持部材および電子機器を提供することを目的とする。
【０００８】
【課題を解決するための手段】
上記目的を達成するために、請求項１に係る支持部材においては、電子機器の本体に任意の角度で表示装置を支持する支持部材であって、表示装置に係合する一端を有する第１の基台と、第１の基台に滑動可能に設けられ、上記本体に係合する一端を有する第２の基台と、第１の基台と、上記第１の基台に対して任意の位置に滑動された上記第２の基台との滑動を規制する規制手段と、
【０００９】
を具備することを特徴とする。
【００１０】
また、請求項８に係る電子機器においては、本体と、本体に対して回動可能に接続される表示部と、表示部を上記本体に対して任意の角度に支持する支持部とを具備し、支持部材は、表示装置に係合する一端を有する第１の基台と、第１の基台に滑動可能に設けられ、上記本体に係合する一端を有する第２の基台と、第１の基台と、上記第１の基台に対して任意の位置に滑動された上記第２の基台との滑動を規制することで上記表示部の上記本体に対する角度を任意の位置に設定する規制部材と、を具備することを特徴とする。
このような構成により、表示部の電子機器に対する角度を任意に調整することが可能である。
【００１１】
【発明の実施の形態】
以下本発明に係る実施の形態を、図面を参照して説明する。図１は、表示部が開位置の状態の電子機器の斜視図である。図１に示すようにコンピュータ１は本体２を有する。本体２はヒンジ部８を介して表示部３が接続されている。本体２は上面２ａおよび前面２ｂを有している。表示部３の前面３ａには表示パネル４が露出されている。表示部パネル４はＬＣＤとタブレットとを有しており、データ表示および後述するタッチペンによるデータ入力が可能である。表示部３の前面３ａは後述するタッチペンの収容部３ｂを有している。本体２の上面２ａにはキーボード５が設けられている。表示部３はヒンジ部８を介してキーボード５を覆う閉位置とキーボード５を露出する閉位置との間で回動可能である。表示部３のヒンジ部８側とは反対側の一端にはラッチ６が設けられている。本体２の上面２ａには表示部３が閉位置にあるときラッチ６が係脱可能に係合される係合孔７が形成される。
【００１２】
図２は、表示部が閉位置の状態の電子機器の斜視図である。図２に示すように表示部３の裏面３ｃには後述する支持部材を収容するための収容部９が設けられる、収容部９は表示部３の筐体に形成されており、図示しない表示パネル４の背面と裏面３ｃとの間に形成される。また、収容部９は表示部３のラッチ６が形成される一端側に支持部材を挿入するための挿入口９ａが設けられる。
【００１３】
図３は、ペンの着脱を示す図である。図３に示すように、表示部３の前面３ａは後述するタッチペンの収容部３ｂを有している。収容部３ｂは表示パネル４の上下に方向に沿って設けられており、表示パネル４へのデータ入力に使用されるタッチペン９が着脱可能に収容される。収容部からタッチペンを取り出す際は、タッチペンの一端９ａを収容部方向に押すことでタッチペン９の他端９ｂが収容部から押し出されるような構造を有している。なお、この取り出し構造については従来からの取り出し構造と同じであるため説明を省略する。
【００１４】
図４は、表示部の旋回を示す図である。図１、図２に示すように、ヒンジ部８は回動軸Ｘを有している。この回動軸Ｘに沿って、表示部３は開位置（図１の状態）と閉位置（図２の状態）の間で回動可能になっている。さらにヒンジ部８は図４に示すような旋回軸Ｙを有している。表示部３が開位置にある状態において、ユーザーは図４に示すように表示部３の両側部を持ち、表示部３を旋回軸Ｙ方向に旋回させることが可能である。
【００１５】
図５は、表示部を旋回させて閉位置への回動を示す図である。図６は、表示部を表示逆にした状態で閉じた状態の斜視図である。
【００１６】
さらに表示部３を旋回軸Ｙに沿って１８０度旋回させた状態で、さらに回動軸Ｘに沿って表示部３を回動させることが可能である。表示部３には上述したようにラッチ６が設けられている。通常ラッチ６は先端６ａが表示部３の前面３ａ方向に突出するよう状態にある。ラッチ６は図示しない回転軸を介して表示部３に設けられている。ラッチ６は図示しない回転軸を介して、表示部３の前面３ａ方向に突出する第１位の位置と、図示しない回転軸を介して表示部３の裏面３ｃ方向に突出する第２の位置（図５中矢印方向）との間で回動可能に設けられている。
【００１７】
表示部３は旋回軸Ｙに沿って１８０度旋回させ、表示パネル４をコンピュータ本体の後方向に向けた状態で、さらに回動軸Ｘに沿って開位置（表示部３の裏面３ｃが本体２の前部方向に向く状態）から閉位置（表示部３の裏面３ｃがキーボード５を覆う状態）に回動させることが可能であり、ラッチ６を第２の位置に回動させておくことで、ラッチ６は本体２の係合孔７に係合することが可能である。ラッチ６の先端６ａには後述する係合孔７内に設けられるロック部材に係合される孔部６ｂが形成されている。
【００１８】
この状態は表示パネル４が上方に向けて露出される状態となる（図６の状態）。ユーザーは、この表示パネル４が上方を向いた表示部３の閉位置の状態で達しペン９によりペン入力が可能である。
【００１９】
また、ペン入力用のアプリケーションが起動されていれば、表示パネル４へのペン入力は、表示部３が閉位置（表示パネル４がキーボード５を覆っている状態）を除いて可能である。表示パネル４への蛍光灯や太陽の光の移りこみや光の反射を考慮すると、ユーザーは表示パネル４を上方に向けた閉位置よりもむしろ表示部３を本体２に対して任意の角度で開いた状態でペン入力する方が見やすい場合もある。その場合、ペン入力する際、表示パネル４に対してタッチペン９を押し当てるため表示部３を任意の角度に支持する部材が必要になる。図７は、表示部と本体との間に支持部を取り付けた側面図である。
【００２０】
図７に示すように、表示部３は、表示パネル４を本体２の後方に向けた開位置状態から、回動軸Ｘに沿って任意の角度回動させた状態である。この状態で支持部材１０を表示部３のラッチ６と本体２の係合孔７に両端を係合させることで表示部３の本体２に対する角度を維持する。次に支持部材について詳述する。
【００２１】
図８は、第１の実施の形態に係る支持部材の斜視図である。図９は、第１の実施の形態に係る支持部材の断面図である。
【００２２】
図８に示すように、支持部材１０は第１の基台２１と、この第１の基台２１の下方に重ね合わされる第２の基台２６を有する。第１および第２の基台２１、２６は硬質のゴム材、プラスチック、金属等の湾曲可能な材料で形成されている。第１の基台２１は一端２２と他端２３を有する平板状に形成されている。他端２３には下方に突出する一対の係合ピン２３ａ、２３ｂを有している。一端２２には表示部３のラッチ６に係合するための袋状に形成された係合部２２ａを有している。
【００２３】
第１の基台２１の下方には第２の基台２６が重ね合わされている。第２の基台２６は平板状に形成されている。第２の基台２６の一端２８には、本体２の係合孔７に係合する係合孔２８ａが形成される。第２の基台２６の他端には第１の基台２１を滑動可能に保持する枠部２７が形成されている。枠部２７は第１の基台２１の中央部が滑動可能なように第１の基台２１の断面寸法とほぼ同じ大きさの開口部２７ａを有している。第２の基台２６のほぼ中央部には、第１の基台の一対の係合ピン２３ａ，２３ｂにそれぞれ係合する一対の係合孔２６ａ，２６ｂが複数設けられる。第２の基台２６は、他端の枠部２７において第１の基台２１に保持された状態で、第１の基台２１に対して任意の位置に滑動可能であり、かつ第１の基台２１の一対の係合ピン２３ａ、２３ｂが第２の基台の複数も受けられた一対の係合孔２６ａ，２６ｂの任意の係合孔２６ａ，２６ｂに係合される。この構成により、第１の基台２１と第２の基台２６とは互いに滑動可能であり、かつ任意の位置（任意の長さ）に調整することが可能となる。
【００２４】
第２の基台２６には、第２の基台状を滑動可能なカバー２９が設けられる。カバー２９は枠状に形成されている。カバー２９は第１の基台２１および第２の基台２６が係合ピン２３ａ、２３および係合孔２６ａ，２６ｂの係合により長さ調整（図９中矢印方向）された後に係合ピン２３ａ、２３および係合孔２６ａ，２６ｂの係合状態を保持するために第２の基台２６上を滑動させ（図８中矢印方向）カバーする。このような構成により、第１の基台２１と第２の基台２６との長さ調整した状態を保持することが可能である。
【００２５】
図１０は、第１の実施の形態に係る支持部材を表示部と本体との間に取り付けた側面図である。上記したような構成の支持部材１０を本体２と表示部３との間に取り付ける。支持部材１０を取り付ける際にあらかじめ上述した方法で支持部材の長さを調整しておく。次に第１の基台２１の一端２２の係合部２２ａを表示部３のラッチ６に挿入し係合する。次に第２の基台２６の一端２８の係合孔２８ａを本体２の係合孔７に係合させる。
【００２６】
このように取り付けることで本体２に対して表示部３の角度を維持した状態で表示部３のペン入力時の倒れこみを防止することができる。もちろん表示部の角度を調節する場合は支持部材を本体２および表示部３より取り外し、支持部材の長さ調節を再度行った後に再度本体２および表示部３へ取り付けることで表示部３の角度調節を行うことができる。また、支持部材１０の第１の基台２１および第２の基台２６は互いに湾曲可能な部材で構成されているために、表示部３および本体２への取り付けは容易に行うことができる。勿論支持部材１０を表示部３と本体２とに取り付ける際は、表示部３は表示パネル４がキーボード５とは反対方向（本体２の後方向）に向いた状態で、ラッチ６を表示部３の裏面３ｃ方向に回動させた状態で取り付けることになる。
【００２７】
図１１は、支持部材と係合部との係合を示す断面図である。図１１に示すように、本体２の係合孔７にはロック部材７ａが設けられる。ロック部材７ａは通常表示部３が閉位置状態になったとき表示３のラッチ６に設けられた孔部６ｂに係合されることで表示部３を閉位置に保持する。図１０に示すように支持部材１０を表示部３および本体２に取り付けた場合は、ロック部材７ａは支持部材の第２の基台２６の一端２８にも受けられた係合孔２８ａに係合される。ロック部材２８は係合孔２８あるいは孔部６ｂに係合されるロック部７ｂおよび本体２の外部より操作可能な操作部７ｃを有している。ロック部７ｂと操作部７ｃとの間には回転軸７ｄが設けられている。ロック部材７は図示しないばね等の弾性部材により常にロック部７ｂが係合孔２８あるいは孔部６ｂに係合される係合方向（係合位置）に付勢されている。本体２の外部より操作部７ｃを押すことでロック部材７ａの先端７ｂがロック状態より退避し、係合孔２８あるいは孔部６ｂより係合が解除される。
【００２８】
図１２は、支持部材を収容部に収容した際の電子機器の斜視図である。図に示すように、表示部３の裏面３ｃには支持部材１０を収容するための収容部９が設けられている。支持部材１０は収容部９に収容されることで、未使用時になくなってしまうことがなくなる。また本実施の形態においては収容部９を表示パネル３の裏面３ｃに形成したが、表示パネル３の前面３ａ、本体２の上面、底面、側面、前面等のいずれかに設けてもよい。
【００２９】
次に第２の実施の形態に係る支持部材について説明する。図１３は、第２の実施の形態に係る支持部材の斜視図である。図１４は、第２の実施の形態に係る支持部材の断面図である。
【００３０】
図１３に示すように、支持部材３０は第１の基台３１と第１の基台３１の下方に重ね合わされる第２の基台３４を有する。第１および第２の基台３１，３４は硬質のゴム材、プラスチック、金属等の湾曲可能な材料で形成されている。第１の基台３１は一端３２と他端３３を有する平板状に形成されている。一端３２には表示部３のラッチ６に係合するための袋状に形成された係合部３２ａを有している。第１の基台の３１の他端３３には規制手段である固定ピン３５ａ、固定ピン３５ａを第２の基台３４の下方より支持する固定部３５ｂおよび固定ピン３５ａにネジ締め可能な固定ネジ３５が設けられている。
【００３１】
第１の基台３１の下方には第２の基台３４が重ね合わされている。第２の基台３４は平板状に形成されている。第２の基台３４の一端３６には、本体２の係合孔７に係合する係合孔３７が形成される。第２の基台３４の他端３７には第１の基台３１を滑動可能に保持する枠部３７が形成されている。枠部３７は第１の基台３１の中央部が滑動可能なように第１の基台３１の断面寸法とほぼ同じ大きさの開口部３７ａを有している。第２の基台３４のほぼ中央には一端と他端方向に伸びるスリット３４ａが形成されており、第１の基台３１に取り付けられた際固定ピン３５ａが挿通可能である。固定ネジ３５を緩めた状態で、第２の基台３４は、他端の枠部３７において第１の基台３１に保持された状態で、第１の基台３１に対して任意の位置に滑動可能である。次に、第２の基台３４を第１の基台３１に対して任意の位置に滑動させ、固定ネジ３５をピン３５ａに締め付けることで、第１の基台３１と第２の基台３４とが圧着され、第１の基台３１および第２の基台３４との滑動を規制し、第１および第２の基台３１，３４の長さ調節を規制する。この構成により、第１の基台３１と第２の基台３４とは互いに滑動可能であり、かつ任意の位置（任意の長さ）に調整することが可能となる。
【００３２】
上記のような構成においては、支持部材３０の長さを任意の長さに調節し、表示部３を本体２に対して任意の角度に調節および支持可能であり、ペン入力操作を楽にすることができる。
【００３３】
次に第３の実施の形態に係る支持部材について説明する。図１５は、第３の実施の形態に係る支持部材の斜視図である。図１６は、第３の実施の形態に係る支持部材の断面図である。
【００３４】
図１５に示すように、支持部材４０は第１の基台４１と第１の基台４１の下方に重ね合わされる第２の基台４４を有する。第１および第２の基台４１，４４は硬質のゴム材、プラスチック、金属等の湾曲可能な材料で形成されている。第１の基台４１は一端４２と他端４３を有する短冊状に形成されており、図１６に示すように、一端３２には表示部３のラッチ６に係合するための袋状に形成された係合部４２ａを有している。第１の基台の４１の他端４３には第２の実施形態と同様に、規制手段である固定ピン４７ａ、固定ピン４７ａの一端に固定部４７ｂを有している。固定部４７ｂは第１の基台４１の一端４３の一方の端壁部４３ｂ内に固定されている。さらに固定ピン４７ａの他端にはネジ締め可能な固定ネジ４７が設けられている。また第１の基台４３の一端４４には第２の基台４４の一部を滑動可能に収容可能な収容部４３ａを有している。固定ピン４７ａは収容部４３ａを貫通している。
【００３５】
第１の基台４１の下方には第２の基台４４が重ね合わされている。第２の基台４４は平板状に形成されている。第２の基台４４の一端４５には、本体２の係合孔７に係合する係合孔４５ａが形成される。第２の基台４４の他端４８は第１の基台４１の収容部４３ａに収容される。第２の基台４４のほぼ中央には一端と他端方向に伸びるスリット４４ａが形成されており、第１の基台４１に取り付けられた際固定ピン４７ａが挿通可能である。
【００３６】
固定ネジ４７を緩めた状態で、第２の基台４４は収容部４３ａに収容され、第１の基台４１に対して任意の位置に滑動可能である。次に、第２の基台４４を第１の基台４１に対して任意の位置に滑動させ、固定ネジ４７をピン４７ａに締め付けることで、第１の基台４１と第２の基台４４とが圧着され、第１の基台４１および第２の基台４４との滑動を規制し、第１および第２の基台４１，４４の長さ調節を規制する。この構成により、第１の基台４１と第２の基台４４とは互いに滑動可能であり、かつ任意の位置（任意の長さ）に調整することが可能となる。
【００３７】
上記のような構成においては、支持部材４０の長さを任意の長さに調節し、表示部３を本体２に対して任意の角度に調節および支持可能であり、ペン入力操作を楽にすることができる。
【００３８】
本発明ではその主旨を逸脱しない範囲であれば、上記の実施形態に限定されるものではない。そして、ＰＤＡ、携帯電話、電子手帳等に広く適用できるものである。
【００３９】
【発明の効果】
以上詳述した発明によれば、容易な構成で表示部の電子機器に対する角度を任意に調整し、データ入力の操作性を向上することが可能な支持部材および電子機器を提供することを目的とする。
【図面の簡単な説明】
【図１】表示部が開位置の状態の電子機器の斜視図。
【図２】表示部が閉位置の状態の電子機器の斜視図。
【図３】ペンの着脱を示す図。
【図４】表示部の旋回を示す図。
【図５】表示部を旋回させて閉位置への回動を示す図。
【図６】表示部を表示逆にした状態で閉じた状態の斜視図。
【図７】表示部と本体との間に支持部を取り付けた側面図。
【図８】第１の実施の形態に係る支持部材の斜視図。
【図９】第１の実施の形態に係る支持部材の断面図。
【図１０】第１の実施の形態に係る支持部材を表示部と本体との間に取り付けた側面図。
【図１１】支持部材と係合部との係合を示す断面図。
【図１２】支持部材を収容部に収容した際の電子機器の斜視図。
【図１３】第２の実施の形態に係る支持部材の斜視図。
【図１４】第２の実施の形態に係る支持部材の断面図。
【図１５】第３の実施の形態に係る支持部材の斜視図。
【図１６】第３の実施の形態に係る支持部材の断面図。
【符号の説明】
１・・・コンピュータ、２・・・本体、３・・・表示部、４・・・表示パネル、５・・・キーボード、６・・・ラッチ、７・・・係合孔、７ａ・・・ロック部材、８・・・ヒンジ部、９・・・タッチペン、１０、３０，４０・・・支持部材、２１、３１、４１・・・第１の基台、２６、３４、４４・・・第２の基台、２２ａ、３２ａ、４２ａ・・・係合部、２３ａ，２３ｂ・・・係合ピン、２６ａ，２６ｂ・・・一対の係合孔、２８ａ、３７・・・係合孔、３５、４７・・・固定ネジ、３５ａ，４７ａ・・・固定ピン、４３ａ・・・収容部、３４ａ、４４ａ・・・スリット
【図１】
2004264930.tif 000003
【図２】
2004264930.tif 000004
【図３】
2004264930.tif 000005
【図４】
2004264930.tif 000006
【図５】
2004264930.tif 000007
【図６】
2004264930.tif 000008
【図７】
2004264930.tif 000009
【図８】
2004264930.tif 000010
【図９】
2004264930.tif 000011
【図１０】
2004264930.tif 000012
【図１１】
2004264930.tif 000013
【図１２】
2004264930.tif 000014
【図１３】
2004264930.tif 000015
【図１４】
2004264930.tif 000016
【図１５】
2004264930.tif 000017
【図１６】
2004264930.tif 000018